(57)【要約】【課題】異常が発生した場合の別の照明器具との連動を簡単な構成で実現する照明器具を提供する。【解決手段】複数の照明器具と、前記複数の照明器具と接続された制御装置と、を備え、前記制御装置から前記複数の照明器具に制御信号を送信することにより、前記複数の照明器具の光の照射を制御する照明制御システムに用いられる照明器具において、光を照射する光源部と、前記制御信号に含まれる制御情報に基づいて前記光源部からの光の照射を制御する制御部と、を備え、前記制御部は、前記光源部からの光の照射に関する異常の検出を行い、前記異常を検出した場合に、前記制御情報を基に、別の照明器具を点灯させる制御を実行する照明器具が提供される。【選択図】図１
2019149338.tif 000002
【特許請求の範囲】
【請求項１】
複数の照明器具と、前記複数の照明器具と接続された制御装置と、を備え、前記制御装置から前記複数の照明器具に制御信号を送信することにより、前記複数の照明器具の光の照射を制御する照明制御システムに用いられる照明器具において、
光を照射する光源部と、
前記制御信号に含まれる制御情報に基づいて前記光源部からの光の照射を制御する制御部と、
を備え、
前記制御部は、前記光源部からの光の照射に関する異常の検出を行い、前記異常を検出した場合に、前記制御情報を基に、別の照明器具を点灯させる制御を実行する照明器具。
【請求項２】
前記光源部は、発光ダイオードを含む請求項１記載の照明器具。
【請求項３】
前記制御信号は、前記複数の照明器具のそれぞれの前記制御情報を含み、
前記制御情報は、前記複数の照明器具を識別するための識別情報を含み、
前記制御部は、前記異常を検出していない場合、前記識別情報を基に前記制御信号から自身の前記制御情報を読み出し、読み出した自身の前記制御情報に基づいて前記光源部を制御するとともに、前記制御信号をそのまま前記別の照明器具に伝達する請求項１又は２に記載の照明器具。
【請求項４】
前記制御部は、前記異常を検出した場合、前記制御信号に含まれる自身の前記制御情報を前記別の照明器具の前記制御情報に変換し、変換後の前記制御信号を前記別の照明器具に伝達することにより、自身の前記制御情報に基づいて前記別の照明器具を点灯させることが可能である請求項３記載の照明器具。
【請求項５】
前記制御信号をそのまま出力するための第１出力部と、
前記異常が検出された場合に、前記制御情報を前記別の照明器具に伝達するための第２出力部と、
をさらに備えた請求項１〜４のいずれか１つに記載の照明器具。
【請求項６】
前記制御部は、前記異常を検出していない場合に、前記制御信号をそのまま前記第２出力部に出力可能である請求項５記載の照明器具。
【請求項７】
前記制御信号に対応していない非対応の照明器具を接続するための外部接点をさらに備え、
前記制御部は、前記異常を検出した場合に、前記制御情報に基づいて前記非対応の照明器具を点灯させることが可能である請求項１〜６のいずれか１つに記載の照明器具。
【請求項８】
前記外部接点は、変換器と接続され、前記変換器を介して前記非対応の照明器具と接続され、
前記制御部は、前記制御情報に基づく所定の信号を前記変換器に送信し、前記所定の信号を前記変換器で前記非対応の照明器具に対応する信号に変換することにより、前記非対応の照明器具を点灯させる請求項７記載の照明器具。
【請求項９】
前記外部接点は、複数の前記非対応の照明器具を接続可能である請求項７又は８に記載の照明器具。
【請求項１０】
前記制御部は、前記非対応の照明器具に対応した調光信号を生成可能であり、前記制御情報を基に前記調光信号を生成し、前記調光信号を前記外部接点から出力することにより、前記非対応の照明器具を調光可能である請求項７〜９のいずれか１つに記載の照明器具。
【発明の詳細な説明】
【技術分野】
【０００１】
本発明の実施形態は、照明器具に関する。
【背景技術】
【０００２】
スタジオや舞台などで用いられる照明制御システムが知られている。照明制御システムは、制御装置と、複数の照明器具と、を備える。各照明器具は、制御装置と接続され、制御装置から送信される制御信号に基づいて、照射する光の点灯、消灯、照度、及び色などを切り替える。照明制御システムは、このように各照明器具から照射される光を制御することによって、スタジオや舞台などの照明演出を行う。
【０００３】
こうした照明制御システムに用いられる照明器具において、例えば、照明演出の最中に光源部などに異常が発生し、制御信号に基づく適切な光が照射できなくなってしまうと、適切な照明を行うことができなくなってしまう。また、照明演出の最中では、故障した光源部や照明器具の交換などを行うことも難しい。
【０００４】
例えば、異常が発生した場合に、異常の発生を制御装置に送信し、制御装置が別の照明器具を点灯させることにより、別の照明器具と連動し、システム全体として適切な照明を行えるようにすることも考えられる。しかしながら、このような構成では、異常の発生した照明器具と制御装置との間の通信、及び制御装置と別の照明器具との間の通信が必要となるなど、照明制御システムの構成が複雑になってしまう可能性がある。
【０００５】
このため、照明制御システムに用いられる照明器具では、異常が発生した場合の別の照明器具との連動を簡単な構成で実現することが望まれる。
【先行技術文献】
【特許文献】
【０００６】
【特許文献１】特開２０１６−１８１４５２号公報
【発明の概要】
【発明が解決しようとする課題】
【０００７】
異常が発生した場合の別の照明器具との連動を簡単な構成で実現する照明器具を提供することを目的とする。
【課題を解決するための手段】
【０００８】
本発明の実施形態によれば、複数の照明器具と、前記複数の照明器具と接続された制御装置と、を備え、前記制御装置から前記複数の照明器具に制御信号を送信することにより、前記複数の照明器具の光の照射を制御する照明制御システムに用いられる照明器具において、光を照射する光源部と、前記制御信号に含まれる制御情報に基づいて前記光源部からの光の照射を制御する制御部と、を備え、前記制御部は、前記光源部からの光の照射に関する異常の検出を行い、前記異常を検出した場合に、前記制御情報を基に、別の照明器具を点灯させる制御を実行する照明器具が提供される。
【発明の効果】
【０００９】
本発明の実施形態によれば、異常が発生した場合の別の照明器具との連動を簡単な構成で実現する照明器具を提供することができる。
【図面の簡単な説明】
【００１０】
【図１】実施形態に係る照明制御システム及び照明器具を模式的に表すブロック図である。
【図２】実施形態に係る照明制御システム及び照明器具の動作を模式的に表すフローチャートである。
【図３】実施形態に係る照明制御システム及び照明器具の別の動作を模式的に表すフローチャートである。
【図４】実施形態に係る照明制御システム及び照明器具の変形例を模式的に表すブロック図である。
【図５】実施形態に係る照明制御システム及び照明器具の変形例を模式的に表すブロック図である。
【図６】実施形態に係る照明制御システム及び照明器具の変形例を模式的に表すブロック図である。
【図７】実施形態に係る照明制御システム及び照明器具の変形例を模式的に表すブロック図である。
【図８】実施形態に係る照明制御システム及び照明器具の変形例を模式的に表すブロック図である。
【発明を実施するための形態】
【００１１】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１２】
図１は、実施形態に係る照明制御システム及び照明器具を模式的に表すブロック図である。  
図１に表したように、照明制御システム２は、複数の照明器具１０と、制御装置１２と、を備える。制御装置１２は、各照明器具１０と接続される。制御装置１２は、各照明器具１０に制御信号２０を送信する。各照明器具１０は、制御装置１２からの制御信号２０に基づいて所定の照度及び色の光を照射する。このように、照明制御システム２は、制御装置１２から各照明器具１０に制御信号２０を送信することにより、各照明器具１０の光の照射を制御する。照明制御システム２は、例えば、各照明器具１０の点灯、消灯、及び各照明器具１０から照射される光の照度や色を制御することにより、スタジオや舞台などの照明演出を行う。
【００１３】
各照明器具１０及び制御装置１２は、例えば、ＤＭＸ規格やＲＤＭ（Remote Device Management）規格などの通信規格に準拠した通信を行う。例えば、ＤＭＸ規格やＲＤＭ規格に基づく通信を行う場合、各照明器具１０及び制御装置１２は、例えば、デイジーチェーン接続（直列接続）され、制御装置１２から後段の照明器具１０に制御信号２０を順次伝達する。
【００１４】
制御信号２０は、例えば、複数の照明器具１０のそれぞれの制御情報２２を含む。各制御情報２２は、例えば、複数の照明器具１０を識別するための識別情報２４を含む。識別情報２４は、例えば、各照明器具１０に予め設定された制御アドレスである。また、各制御情報２２は、例えば、対応する照明器具１０の点灯、消灯、光の照度及び色などの情報を含む。各照明器具１０は、識別情報２４を基に制御信号２０から自身の制御情報２２を読み出し、読み出した制御情報２２に基づいて光を照射する。但し、制御信号２０及び制御情報２２に含まれる情報は、上記に限ることなく通信規格になどに対応した任意の情報でよい。
【００１５】
但し、各照明器具１０と制御装置１２との通信方式は、ＤＭＸ規格やＲＤＭ規格などに限ることなく、任意の通信方式でよい。各照明器具１０と制御装置１２との接続形態は、通信方式に応じた任意の形態でよい。各照明器具１０と制御装置１２との通信は、有線通信に限ることなく、無線通信を含んでもよい。換言すれば、各照明器具１０と制御装置１２とは、有線で接続されたものに限ることなく、無線を介して接続されたものを含んでもよい。また、照明制御システム２は、スタジオや舞台などの照明演出を行うものに限ることなく、少なくとも各照明器具１０の点灯及び消灯を制御する任意のシステムでよい。
【００１６】
照明器具１０は、光源部４０と、点灯回路４２と、制御部４４と、通信部４６と、検出部４８と、電源部５０と、を備える。電源部５０は、点灯回路４２、制御部４４、及び通信部４６の各部と接続されている。また、電源部５０は、例えば、商用電源などの電力源と接続される。電源部５０は、電力源から供給された電力を各部に対応した電力に変換し、変換後の電力を各部に供給する。照明器具１０の各部は、電源部５０からの電力供給に応じて動作する。
【００１７】
光源部４０は、光を照射する。光源部４０は、例えば、発光ダイオード４０ａを光源として含む。光源部４０は、例えば、複数の発光ダイオード４０ａを有する。光源部４０は、換言すれば、ＬＥＤランプである。但し、光源部４０の光源は、発光ダイオードに限ることなく、電球や放電管などでもよい。
【００１８】
通信部４６は、制御装置１２及び他の照明器具１０との通信を行う。通信部４６は、例えば、制御装置１２又は前段の照明器具１０から制御信号２０を入力するための入力部４６ａと、入力された制御信号２０を後段の照明器具１０に伝達するための出力部４６ｂと、を有する。
【００１９】
通信部４６は、例えば、入力部４６ａから入力された制御信号２０を制御部４４に入力し、制御部４４から出力された制御信号２０を出力部４６ｂから出力する。あるいは、入力部４６ａから入力された制御信号２０を制御部４４に入力するとともに、出力部４６ｂから出力する。これにより、制御装置１２又は前段の照明器具１０から入力された制御信号２０が、後段の照明器具１０に伝達される。
【００２０】
制御部４４は、識別情報２４を基に制御信号２０から自身の制御情報２２を読み出し、読み出した制御情報２２に基づいて光源部４０からの光の照射を制御する。制御部４４は、例えば、制御信号２０に対応する駆動信号を生成し、生成した駆動信号を点灯回路４２に入力する。点灯回路４２は、電源部５０から供給された電力を駆動信号に対応した電力に変換し、変換後の電力を光源部４０に供給する。これにより、制御情報２２に対応した照度や色などに、光源部４０から照射される光を制御することができる。
【００２１】
また、制御部４４は、光源部４０からの光の照射に関する異常の検出を行い、異常を検出した場合に、制御情報２２を基に、別の照明器具１０を点灯させる制御を実行する。
【００２２】
検出部４８は、光源部４０及び点灯回路４２の少なくとも一方の故障に関連する所定の検出を行い、検出結果を制御部４４に入力する。制御部４４は、検出部４８の検出結果を基に、光源部４０及び点灯回路４２の故障を判定し、故障していると判定した場合に、別の照明器具１０を点灯させる制御を実行する。
【００２３】
検出部４８は、例えば、光源部４０に流れる電流または光源部４０に印加される電圧の少なくとも一方を検出する。制御部４４は、検出部４８の検出結果を基に、光源部４０に流れる電流または印加される電圧が、制御情報２２に基づく所望の値になっているか否かを判定し、所望の値になっていない場合に、光源部４０及び点灯回路４２の少なくとも一方が故障していると判定する。なお、光源部４０または点灯回路４２の異常は光源部４０に流れる電流及び印加される電圧を考慮して判断してもよい。
【００２４】
但し、検出部４８の検出は、上記に限ることなく、光源部４０及び点灯回路４２の少なくとも一方の故障を検出可能とする任意の検出でよい。また、制御部４４の検出する異常は、光源部４０及び点灯回路４２の少なくとも一方の故障に限ることなく、光源部４０から適切な光を照射することができなくなる任意の異常でよい。
【００２５】
図２は、実施形態に係る照明制御システム及び照明器具の動作を模式的に表すフローチャートである。  
図２に表したように、照明器具１０では、制御装置１２又は前段の照明器具１０から制御信号２０が入力される（図２のステップＳ１０１）。
【００２６】
照明器具１０の通信部４６は、入力部４６ａに制御信号２０が入力されると、その制御信号２０を制御部４４に入力するとともに、その制御信号２０をそのまま出力部４６ｂから出力し、後段の照明器具１０に伝達する（図２のステップＳ１０２）。
【００２７】
制御部４４は、通信部４６から制御信号２０が入力されると、識別情報２４を基に、自身の制御情報２２を制御信号２０から読み出す（図２のステップＳ１０３）。
【００２８】
制御部４４は、制御情報２２を読み出すと、その制御情報２２に基づいて光源部４０からの光の照射を制御し、制御情報２２に対応したタイミングで、制御情報２２に対応した光を光源部４０から照射させる（図２のステップＳ１０４）。
【００２９】
制御部４４は、光源部４０からの光の照射を開始した後、検出部４８の検出結果などを基に、光源部４０からの光の照射に関する異常の検出を行う（図２のステップＳ１０５）。制御部４４は、異常を検出していない場合、ステップＳ１０１の動作に戻り、制御装置１２又は前段の照明器具１０から入力される制御信号２０に基づいて、光源部４０からの光の照射を制御する。これにより、照明器具１０から照射される光の点灯、消灯、照度、及び色などが、制御信号２０に基づいて制御され、照明演出などを行うことが可能となる。
【００３０】
一方、制御部４４は、異常を検出した場合、光源部４０からの光の照射を停止する（図２のステップＳ１０６）。そして、制御部４４は、自身の制御情報２２を通信部４６の出力部４６ｂから出力し、自身の制御情報２２を後段の照明器具１０に伝達する（図２のステップＳ１０７）。なお、光源部４０を点灯させる前から異常の発生が予め分かっている場合などには、制御情報２２の読み出しを行った後、光源部４０を点灯させることなく、制御情報２２の伝達を行ってもよい。
【００３１】
後段の照明器具１０の制御部４４は、前段の照明器具１０から制御情報２２を入力されると、点灯可能であるか否かを判定する（図２のステップＳ１０８）。すなわち、制御部４４は、制御装置１２からの制御信号２０に基づいて自身が点灯中であるか否かを判定する。
【００３２】
制御部４４は、自身が点灯中ではなく、点灯可能であると判定した場合、入力された前段の照明器具１０の制御情報２２に基づいて光源部４０からの光の照射を制御し、制御情報２２に対応したタイミングで、制御情報２２に対応した光を光源部４０から照射させる（図２のステップＳ１０９）。
【００３３】
一方、制御部４４は、自身が点灯中あるいは点灯する可能性があり、不可能であると判定した場合、入力された前段の照明器具１０の制御情報２２を通信部４６の出力部４６ｂから出力し、その制御情報２２をさらに後段の照明器具１０に伝達する。
【００３４】
以下、同様の動作を繰り返すことにより、いずれかの照明器具１０で異常が発生した場合にも、後段側の別の照明器具１０を点灯させることができる。換言すれば、照明器具１０で異常が発生した場合に、別の照明器具１０を連動させることができる。例えば、照明演出の最中に異常が発生した場合にも、照明制御システム２の全体として制御信号２０に基づく適切な光を照射することが可能となる。また、制御装置１２との通信などを行う必要がなく、照明制御システム２の構成が複雑になってしまうことを抑制することもできる。従って、異常が発生した場合の別の照明器具１０との連動を簡単な構成で実現することができる。
【００３５】
図３は、実施形態に係る照明制御システム及び照明器具の別の動作を模式的に表すフローチャートである。  
図３において、ステップＳ２０１〜ステップＳ２０６の処理は、図２に関して説明したステップＳ１０１〜１０６の処理と実質的に同じであるから、詳細な説明は省略する。  
図３に表したように、この例において、制御部４４は、異常を検出した後、制御信号２０に含まれる各照明器具１０のそれぞれの制御情報２２を基に、点灯可能な別の照明器具１０を選別する（図３のステップＳ２０７）。すなわち、制御部４４は、各制御情報２２を基に、点灯していない照明器具１０を選別する。
【００３６】
例えば、照明制御システム２がＤＭＸ規格などのように後段側への片方向の通信のみを行う場合、制御部４４は、自身よりも後段側の照明器具１０の中から点灯可能な器具を選別する。一方、照明制御システム２がＲＤＭ規格などのように双方向の通信を可能としている場合、制御部４４は、後段側及び前段側も含めた照明器具１０の中から点灯可能な器具を選別する。
【００３７】
制御部４４は、点灯可能な別の照明器具１０を選別した後、制御信号２０に含まれる自身の制御情報２２を選別した別の照明器具１０の制御情報２２に変換することにより、制御信号２０を変換する（図３のステップＳ２０８）。換言すれば、制御部４４は、自身の制御情報２２に含まれる識別情報２４を、選別した照明器具１０の識別情報２４に変更することにより、制御信号２０を変換する。
【００３８】
制御部４４は、変換後の制御信号２０を通信部４６の出力部４６ｂから出力し、選別した別の照明器具１０に伝達する（図３のステップＳ２０９）。変換後の制御信号２０は、例えば、後段の照明器具１０に順次伝達されることにより、選別した別の照明器具１０に伝達される。例えば、所定の照明器具１０と通信できるように伝送経路などが形成されている場合などには、異常を検出した照明器具１０から選別した別の照明器具１０に対して直接的に変換後の制御信号２０を伝達してもよい。
【００３９】
選別された別の照明器具１０の制御部４４は、変換後の制御信号２０を入力されると、入力された制御信号２０に含まれる自身の制御情報２２（異常が検出された照明器具１０の制御情報２２）に基づいて光源部４０からの光の照射を制御し、制御情報２２に対応したタイミングで、制御情報２２に対応した光を光源部４０から照射させる（図３のステップＳ２１０）。
【００４０】
このように、この例において、制御部４４は、異常を検出していない場合、識別情報２４を基に制御信号２０から自身の制御情報２２を読み出し、読み出した自身の制御情報２２に基づいて光源部４０を制御するとともに、制御信号２０をそのまま別の照明器具１０に伝達する。
【００４１】
そして、制御部４４は、異常を検出した場合、制御信号２０に含まれる自身の制御情報２２を、選別した別の照明器具１０の制御情報２２に変換し、変換後の制御信号２０を別の照明器具１０に伝達することにより、自身の制御情報２２に基づいて別の照明器具１０を点灯させる。
【００４２】
このように、点灯可能か否かの判定は、異常が検出された照明器具１０で行ってもよい。これにより、例えば、別の照明器具１０側で逐一判定を行う必要がなく、異常が発生した場合のシステム全体の負荷を軽減することができる。
【００４３】
図４は、実施形態に係る照明制御システム及び照明器具の変形例を模式的に表すブロック図である。  
なお、上記実施形態と機能・構成上実質的に同じものについては、同符号を付し、詳細な説明は省略する。  
図４に表したように、照明制御システム２ａでは、照明器具１０ａが、記憶部５２をさらに備えている。記憶部５２は、制御部４４と接続されている。記憶部５２は、例えば、制御部４４に組み込まれていてもよい。
【００４４】
記憶部５２は、優先順位情報５４を記憶している。優先順位情報５４は、照明制御システム２ａに含まれる別の照明器具１０ａと、異常が発生した場合に点灯させる優先順位と、を関連付けて記憶している。優先順位情報５４は、例えば、各照明器具１０ａの識別情報２４と、優先順位と、を関連付けて記憶する。
【００４５】
制御部４４は、制御信号２０に含まれる各照明器具１０ａのそれぞれの制御情報２２を基に、点灯可能な別の照明器具１０ａを選別する際（図３のステップＳ２０７参照）に、記憶部５２に記憶された優先順位情報５４を参照する。そして、制御部４４は、優先順位情報５４を基に、優先順位の高い照明器具１０ａから順に、点灯可能か否かを判定する。これにより、制御部４４は、優先順位の最も高い点灯可能な照明器具１０ａを選別する。
【００４６】
このように、優先順位の高い照明器具１０ａを選別するようにすることで、例えば、照明演出を行う際などに、異常が発生した照明器具１０ａと全く関係の無い照明器具１０ａが点灯してしまうことを抑制することができる。従って、照明制御システム２ａの全体として、制御信号２０に基づく、より適切な光を照射することができる。
【００４７】
例えば、点灯可能な別の照明器具１０ａの中に、所定以上の優先順位の照明器具１０ａが無い場合には、別の照明器具１０ａを点灯させないようにしてもよい。換言すれば、点灯可能な別の照明器具１０ａの中に、所定以上の優先順位の照明器具１０ａが無い場合には、別の照明器具１０ａを選別しないようにしてもよい。
【００４８】
図５は、実施形態に係る照明制御システム及び照明器具の変形例を模式的に表すブロック図である。  
図５に表したように、照明制御システム２ｂでは、照明器具１０ｂの通信部４６が、第１出力部４６ｂと、第２出力部４６ｃと、を有する。第１出力部４６ｂは、制御信号２０をそのまま出力するための出力部である。第２出力部４６ｃは、異常が検出された場合に、自身の制御情報２２を別の照明器具１０ｂに伝達するための出力部である。
【００４９】
制御部４４は、異常を検出した場合に、自身の制御情報２２を通信部４６の第２出力部４６ｃから出力し、自身の制御情報２２を別の照明器具１０ｂに伝達することにより、自身の制御情報２２に基づいて別の照明器具１０ｂを点灯させる。第２出力部４６ｃからの制御情報２２の伝達は、制御情報２２のみを出力して行ってもよいし、制御情報２２を変換した制御信号２０を出力して行ってもよい。
【００５０】
このように、異常を検出した場合に点灯させる照明器具１０ｂを予め決めておいてもよい。これにより、異常が発生した場合でも、照明制御システム２ｂの全体として、制御信号２０に基づく、より適切な光を照射することができる。また、点灯させる照明器具１０ｂを制御部４４に選別させる手間などを省くことができ、制御部４４の構成をより簡素にすることもできる。
【００５１】
また、制御部４４は、例えば、異常を検出していない場合に、制御信号２０をそのまま第２出力部４６ｃに出力可能である。これにより、異常を検出してない場合に、第２出力部４６ｃに接続された照明器具１０ｂを、制御信号２０に基づいて動作させることできる。
【００５２】
図６は、実施形態に係る照明制御システム及び照明器具の変形例を模式的に表すブロック図である。  
図６に表したように、照明制御システム２ｃでは、照明器具１０ｃが、制御信号２０に対応していない非対応の照明器具１４を接続するための外部接点６０をさらに備える。照明器具１４は、換言すれば、ＤＭＸ規格やＲＤＭ規格などの通信規格に適合していない照明器具である。
【００５３】
制御部４４は、異常を検出した場合に、制御情報２２に基づいて非対応の照明器具１４を点灯させることが可能である。外部接点６０は、信号を入力して非対応の照明器具１４を点灯させるための信号線用の接点でもよいし、電力の供給によって非対応の照明器具１４を点灯させるための電源線用の接点などでもよい。
【００５４】
この例においても、上記と同様に、異常が発生した場合でも、照明制御システム２ｃの全体として、制御信号２０に基づく、より適切な光を照射することができる。また、点灯させる照明器具１０ｃを制御部４４に選別させる手間などを省くことができ、制御部４４の構成をより簡素にすることもできる。
【００５５】
非対応の照明器具１４は、例えば、調光機能を有する。制御部４４は、非対応の照明器具１４に対応した調光信号を生成可能である。調光信号とは、例えば、０−１０Ｖ調光、１−１０Ｖ調光、位相調光、ＰＷＭ（Pulse Width Modulation）、ＤＡＬＩ（Digital Addressable Lighting Interface）などの信号である。
【００５６】
制御部４４は、例えば、制御情報２２を基に調光信号を生成し、生成した調光信号を外部接点６０から出力することにより、非対応の照明器具１４を調光可能である。例えば、異常が発生した場合に、制御情報２２に基づいた照度に照明器具１４を調光する。これにより、異常が発生した場合でも、照明制御システム２ｃの全体として、制御信号２０に基づく、さらに適切な光を照射することができる。
【００５７】
図７は、実施形態に係る照明制御システム及び照明器具の変形例を模式的に表すブロック図である。  
図７に表したように、照明制御システム２ｄでは、照明器具１０ｄの外部接点６０が、変換器１６と接続され、変換器１６を介して非対応の照明器具１４と接続される。制御部４４は、制御情報２２に基づく所定の信号を変換器１６に送信し、所定の信号を変換器１６で非対応の照明器具１４に対応する信号に変換することにより、非対応の照明器具１４を点灯させる。
【００５８】
このように、照明器具１０ｄは、変換器１６を介して非対応の照明器具１４と接続されるようにしてもよい。これにより、例えば、接続可能な照明器具１４の種類などを増やすことができ、照明制御システム２ｄのシステム構成の自由度を高めることができる。
【００５９】
図８は、実施形態に係る照明制御システム及び照明器具の変形例を模式的に表すブロック図である。  
図８に表したように、照明制御システム２ｅでは、照明器具１０ｅの外部接点６０が、複数の非対応の照明器具１４を接続可能である。このように、外部接点６０は、複数の照明器具１４を接続できるようにしてもよい。これにより、例えば、照明制御システム２ｅのシステム構成の自由度を、より高めることができる。
【００６０】
本発明のいくつかの実施形態および実施例を説明したが、これらの実施形態または実施例は、例として提示したものであり、発明の範囲を限定することは意図していない。これら新規な実施形態または実施例は、その他の様々な形態で実施されることが可能であり、発明の要旨を逸脱しない範囲で、種々の省略、置き換え、変更を行うことができる。これら実施形態または実施例やその変形は、発明の範囲や要旨に含まれるとともに、特許請求の範囲に記載された発明とその均等の範囲に含まれる。
【符号の説明】
【００６１】
２、２ａ〜２ｅ…照明制御システム、  １０、１０ａ〜１０ｅ…照明器具、  １２…制御装置、  １４…照明器具、  １６…変換器、  ２０…制御信号、  ２２…制御情報、  ２４…識別情報、  ４０…光源部、  ４０ａ…発光ダイオード、  ４２…点灯回路、  ４４…制御部、  ４６…通信部、  ４８…検出部、  ５０…電源部、  ５２…記憶部、  ５４…優先順位情報、  ６０…外部接点
【図１】
2019149338.tif 000003
【図２】
2019149338.tif 000004
【図３】
2019149338.tif 000005
【図４】
2019149338.tif 000006
【図５】
2019149338.tif 000007
【図６】
2019149338.tif 000008
【図７】
2019149338.tif 000009
【図８】
2019149338.tif 000010